【事件の表示】
　平成　４年特許願第２６２３４７号「独立電源装置」拒絶査定に対する審判事件［平成　６年　４月２８日出願公開、特開平　６−１１７６７８］について、次のとおり審決する。
【結　論】
　本件審判の請求は、成り立たない。
【理　由】
１．手続の経緯・本願発明
　本願は、平成４年９月３０日の出願であって、その発明は、請求項１乃至３に記載されたもであるところ、請求項１に係る発明（以下、同項記載の発明を本願発明という。）は特許請求の範囲の請求項１に記載された次のとおりのものである。
「太陽電池と、該太陽電池の出力端に接続されるＤＣ−ＤＣコンバータと、該ＤＣ−ＤＣコンバータの出力端に接続されるインバータとから構成される独立電源装置において、上記インバータに接続される負荷の消費電力を上記太陽電池の出力とを比較して、上記負荷の消費電力の方が大きい場合は、上記太陽電池の出力に合わせて上記負荷の消費電力を変化させる制御を行う制御回路を備えることを特徴とする独立電源装置。」
２．引用例
　当審での拒絶理由通知で引用した特開平２−８１１０７号公報（以下、引用例１という。）に、「第１図において、太陽電池１とインバータ３との間に介挿された絶縁形のＤＣ−ＤＣコンバータは５で、・・・構成される。一方、太陽電池１の出力は、その出力電圧値に比例した信号に変換する変換器６を介して比較器７に入力され、比較器７の他方の入力側の基準電圧値Ｖｒｅｆと比較されて絶縁形のＤＣ−ＤＣコンバータ５のスイッチング素子５−３の駆動信号を得るように構成される。このスイッチング素子５−３の駆動信号は、比較器７とパルス幅制御ドライブ回路８とによって太陽電池１の出力電圧値を一定にするように制御して太陽電池から最大出力を得るようにしている。すなわち、太陽電池１の出力電圧値が高くなればパルス幅が広くなり、太陽電池の出力電圧値が低くなればパルス幅が狭くなるように構成されている。」（２頁右上欄８行乃至左下欄９行）と記載されていることが認められ、この記載によれば引用例１には、「太陽電池と、該太陽電池の出力端に接続されるＤＣ−ＤＣコンバータと、該ＤＣ−ＤＣコンバータの出力端に接続されるインバータとから構成される電源装置」との発明が開示されていると認めることができる。
　同じく、当審での拒絶理由通知で引用した特開昭６２−２９７９１５号公報（以下、引用例２という。）に、「第１図はこの発明に係る太陽エネルギー有効利用方法を実施した１例を示すブロック図であり、図において、太陽光発電システム（１）、一般負荷（１１）〜（１３）および電力線（２０）は第２図について説明したものと同一である。（２）は太陽光発電システムに接続されてその余剰電力を検出する余剰電力検出装置である。（３）、（４）、（５）（６）はそれぞれ結合装置（７）、（８）、（９）、（１０）を介して電力線（２０）と大地の間に接続された電力線搬送装置であり、これらのうち電力線搬送装置（３）は余剰電力検出装置（２９）にも接続されている。（１４）、（１５）、（１６）は一般負荷（１１）、（１２）、（１３）以外の負荷例えば温水器であり、それぞれ電磁開閉器（１７）、（１８）、（１９）を介して電力線（２０）へ接続され、余剰電力がある場合に起動される。・・・この発明において、太陽光発電システム（１）の、或る時刻における最大発電電力量をＰｓ（ｔ）とする。また、一般負荷全体の負荷電力（図では、一般負荷（１１）、（１２）、（１３）の負荷電力の和）をＰＬ（ｔ）とする。このときの余剰電力は、ＰＭ（ｔ）＝Ｐｓ（ｔ）ーＰＬ（ｔ）（１）の関係をもつ。余剰電力検出装置（２）、Ｐｓ（ｔ）とＰＬ（ｔ）を所定のサンプリング時間で計算し、（１）式より余剰電力ＰＭ（ｔ）を検出する。ＰＭ（ｔ）が正の場合、電力線搬送装置（３）は、検出されたＰＭ（ｔ）の値に応じて一般負荷以外の負荷（図では（１４）、（１５）、（１６）のうちどの負荷を起動するかを選択しかつ選択した負荷の電力線搬送装置に電力線（２０）を通して起動信号を送信する。」（２頁右上欄９行乃至左下欄１８行）、「余剰電力ＰＭ（ｔ）が多くてＰＭ（ｔ）＝Ｐ１４＋Ｐ１５を満たす場合には、搬送周波数ｆ１４、ｆ１５で起動信号を送信することにより負荷（１４）、（１５）が選択されたことになり、・・・余剰電力が、さらに多い場合には起動する負荷を増やせばよい。一方、余剰電力ＰＭ（ｔ）＝Ｐ１４＋Ｐ１５の状態から減少してＰＭ（ｔ）＜Ｐ１４＋Ｐ１５となった場合には、負荷（１４）、（１５）にそれぞれ対応する電力線搬送装置（４）、（５）のいずれかに電力線搬送装置（３）から、電力線（２０）を通して停止信号を送信し、電磁開閉器（１７）または（１８）を開がせて負荷（１４）または（１５）を切り離す。」（２頁右下欄１１行乃至３頁左上欄５行）と記載されていることが認められる。
３．対比・判断
　本願発明と引用例１とを対比すると、両者は「太陽電池と、該太陽電池の出力端に接続されるＤＣ−ＤＣコンバータと、該ＤＣ−ＤＣコンバータの出力端に接続されるインバータとから構成される電源装置」の点で一致し、
（１）本願発明のインバータに接続されるのが負荷であるのに対し、引用例１はこの点について明示するところがない点（本願明細書の「しかしながら、上記のような従来の空調装置は住宅などの商用系統が接続されている施設に制限されており、商用系統の接続されていない簡易施設などにおいてはこのような空調装置は利用することはできない。」（段落【０００６】）、「この発明の目的は、上記の問題を解決し、商用系統の接続されていない施設なども使用できる独立電源装置を提供するにある。」（段落【０００７】）との記載によれば、本願発明にいう独立電源装置とはインバータに接続されるのが空調装置等の負荷であると解することができ、この意味で摘示した前記相違点（１）は本願発明が独立電源装置であるのに対し、引用例１はこれについて明示するところがないという相違点に帰するといえる。）
（２）本願発明が負荷の消費電力を上記太陽電池の出力とを比較して、上記負荷の消費電力の方が大きい場合は、上記太陽電池の出力に合わせて上記負荷の消費電力を変化させる制御を行う制御回路を備えているのに対し、引用例１がそのような構成を備えていない点、で相違する。
Ａ．相違点（１）について
　前示引用例２には太陽電池を利用した電源装置として温水器等の負荷を駆動することが記載されているのであるから、太陽電池を利用した電源装置として共通する前示引用例１の電源装置を用いて負荷を駆動すること、すなわち、独立電源装置として用いることは当業者が容易に想到できたものというべきである。
Ｂ．相違点（２）について
　前示のとおり引用例２は、独立電源装置において太陽光発電システムの余剰電力を余剰電力検出装置で検出して余剰電力が発生した場合はその値に応じ、また、余剰電力が減少した場合はその値に応じて電力線搬送装置で起動する負荷を選択するものであるから、引用例２には負荷の消費電力と太陽電池の出力とを比較して、負荷の消費電力の方が大きい場合は、太陽電池の出力に合わせて負荷の消費電力を変化させる制御を行うという技術思想が開示されいるということができ、これは本願発明の制御回路が行う制御内容と同じものである。
　請求人は、この点に関し、審判請求書（２頁１１行乃至１７行）において、引用例２からは「太陽電池の出力が負荷（一般負荷、一般負荷以外の負荷）の消費電力より大きい場合に、太陽電池の出力に合わせて負荷の消費電力を変化させる制御を行う」との技術思想を読み取ることができるが、「負荷（一般負荷、一般負荷以外の負荷）の消費電力が太陽電池の出力よりも大きい場合に、太陽電池の出力に合わせて負荷の消費電力を変化させる制御を行う」との技術思想を読み取ることができない旨主張するが、しかし、前示のとおり引用例２は余剰電力が減少した場合（このとき負荷の消費電力が太陽電池の出力より大きいことは明らかである。）は太陽電池の出力に合わせてその値に応じて電力線搬送装置で起動する負荷を選択（消費電力を変化させる）するのであるから、「負荷の消費電力が太陽電池の出力よりも大きい場合に、太陽電池の出力に合わせて負荷の消費電力を変化させる制御を行う」ものといえ、また、このように表現しても引用例２が示す制御内容と何ら矛盾するものではないから、請求人の前記主張は採用の限りではない。
　そうすると、引用例２に接した当業者であれば太陽電池を用いた電源装置として共通する前記相違点（１）で検討した引用例１の構成にに前示引用例２の技術思想を適用することは容易に着想できるものといえ、そして、その適用にあたってはインバータを用いてＰＷＭ制御することにより負荷の電力制御を行うという周知の技術を引用例１のインバータに採用して足りるのであるから、本願発明の相違点（２）に係る構成は当業者が容易に想到できたものというべきである。
　そして、本願発明が奏する「この発明の独立電源空調装置によれば、上述のように、太陽電池出力が多い昼間において、負荷の消費電力と太陽電池の出力を比較して、・・・負荷の消費電力を変化させる制御を行うことにより、太陽電池の出力電力を利用する負荷を、商用系統の接続されていない簡易施設などで使用することができる。」という作用効果は引用例１、引用例２及び周知技術に基づいて当業者が容易に予測できる範囲のものである。
　したがって、本願発明は引用例１、引用例２及び周知技術に基づいて当業者が容易に発明をすることができたものである。
４．むすび
　以上のとおりであるから、本願発明は特許法２９条２項の規定により特許を受けることができない。
　よって、結論のとおり審決する。